(57)【要約】【課題】本発明は快速乾燥可能の吸水ヘアキャップを開示した。【解決手段】本体と前記本体の中に設けられた外部に連通している固定チャンバを含み、前記固定チャンバの中には支え枠が上下にスライドできるように設けられ、前記支え枠の中には固定溝が設けられ、前記支え枠と前記固定チャンバの底壁との間には左右に対称的なバネが弾性的に設けられ、本発明は手動の制御が必要なく、自動的に髪を乾燥させ、同時に吸水布の多方位の移動により髪の乾燥速度を上げ、実用性が強い。【選択図】図１
2020171649.tif 000002
【特許請求の範囲】
【請求項１】
本体と前記本体の中に設けられた外部に連通している固定チャンバを含み、前記固定チャンバの中には支え枠が上下にスライドできるように設けられ、前記支え枠の中には固定溝が設けられ、前記支え枠と前記固定チャンバの底壁との間には左右に対称的なバネが弾性的に設けられ、前記固定チャンバの底壁の中には動力チャンバが設けられ、前記動力チャンバの左右端壁の中にはベルトチャンバが対称的に設けられ、前記ベルトチャンバと前記動力チャンバとの間には第一回転軸が回転できるように設けられ、前記ベルトチャンバの中の前記第一回転軸の末端には第一プーリが固定的に設けられ、前記動力チャンバの中の前記第一回転軸の末端には第一傘歯車が固定的に設けられ、前記動力チャンバの底壁の中にはモーターが設けられ、前記モーターの末端には前記第一傘歯車と噛合する第二傘歯車が固定的に設けられ、前記本体の左右両側には振りブロックが対称的に設けられ、前記振りブロックの中にはリールチャンバが設けられ、前記リールチャンバの頂壁の中には外部に連通している連通穴が設けられ、前記リールチャンバの後側端壁の中には伝動チャンバが設けられ、前記伝動チャンバと前記リールチャンバとの間には第二回転軸が回転できるように設けられ、前記伝動チャンバの中の前記第二回転軸の末端にはウォームホイールが固定的に設けられ、前記リールチャンバの中の前記第二回転軸の末端にはリールが固定的に設けられ、左右の二つの前記リールの外表面には前記連通穴を貫通している吸水布が周設され、前記リールチャンバの右側端壁の中には操作チャンバが設けられ、前記操作チャンバの中には髪乾燥装置が設けられ、前記振りブロックが回転し吸水布を連動させて前後に振らせ、これにより髪乾燥装置の全方位の髪乾燥を実現することを特徴とする快速乾燥可能の吸水ヘアキャップ。
【請求項２】
前記髪乾燥装置は前記操作チャンバの端壁の中に連通するように設けられた円形チャンバを含み、前記円形チャンバの円周壁にはリングギヤが固定的に設けられ、前記円形チャンバのうち前記本体に近接している側の端壁の中には外部に連通している弧形溝が設けられ、前記円形チャンバと前記ベルトチャンバとの間には第三回転軸が回転できるように設けられ、前記円形チャンバの中の前記第三回転軸の末端には第一歯車が固定的に設けられ、前記ベルトチャンバの中の前記第三回転軸の末端には第二プーリが固定的に設けられ、前記第二プーリと前記第一プーリとがベルトにより伝動できるように連結され、前記本体の左右端壁には固定ロッドが回転できるように設けられ、前記固定ロッドの末端が前記弧形溝を貫通して前記円形チャンバに伸びており、前記円形チャンバの中の前記固定ロッドの末端には前記リングギヤ及び前記第一歯車と噛合する第二歯車が固定的に設けられ、前記操作チャンバの端壁には扇形歯車が回転できるように設けられ、前記扇形歯車の片側には振りロッドが固定的に設けられ、前記振りロッドの中には長穴が設けられ、前記長孔の中には前記第一歯車の端壁と固定的に連結されるスライドロッドがスライドできるように設けられ、左右二つの前記振りロッドの運動周期が半周の差があり、前記操作チャンバと前記伝動チャンバとの間には前記ウォームホイールと噛合するウォームが回転できるように設けられ、前記操作チャンバの中の前記ウォームの末端には前記扇形歯車と噛合する第三歯車が固定的に設けられ、左側のリールが順方向に回転する時、右側の前記リールが逆方向に回転し、これにより前記吸水布を左右に引き動かし、これにより髪を吸水し乾燥させることを特徴とする請求項１に記載の快速乾燥可能の吸水ヘアキャップ。
【発明の詳細な説明】
【技術分野】
【０００１】
本発明は髪洗いケア分野を取り上げて、具体的には快速乾燥可能の吸水ヘアキャップである。
【背景技術】
【０００２】
人々は髪を洗った後、常に吸水ヘアキャップを使って髪を乾燥させ、伝統的なヘアキャップは手で揉む必要があり、髪を傷つける一方で、乾燥が不均一であり、従って、快速乾燥可能のヘアキャップを設計して上記の問題を解決する。
【先行技術文献】
【特許文献】
【０００３】
【特許文献１】中国特許出願公開第１０３５０４７７０号明細書
【発明の概要】
【発明が解決しようとする課題】
【０００４】
本発明の目的は快速乾燥可能の吸水ヘアキャップを提供し、それは上記の現在の技術中の問題を解決できる。
【課題を解決するための手段】
【０００５】
本発明の快速乾燥可能の吸水ヘアキャップは、本体と前記本体の中に設けられた外部に連通している固定チャンバを含み、前記固定チャンバの中には支え枠が上下にスライドできるように設けられ、前記支え枠の中には固定溝が設けられ、前記支え枠と前記固定チャンバの底壁との間には左右に対称的なバネが弾性的に設けられ、前記固定チャンバの底壁の中には動力チャンバが設けられ、前記動力チャンバの左右端壁の中にはベルトチャンバが対称的に設けられ、前記ベルトチャンバと前記動力チャンバとの間には第一回転軸が回転できるように設けられ、前記ベルトチャンバの中の前記第一回転軸の末端には第一プーリが固定的に設けられ、前記動力チャンバの中の前記第一回転軸の末端には第一傘歯車が固定的に設けられ、前記動力チャンバの底壁の中にはモーターが設けられ、前記モーターの末端には前記第一傘歯車と噛合する第二傘歯車が固定的に設けられ、前記本体の左右両側には振りブロックが対称的に設けられ、前記振りブロックの中にはリールチャンバが設けられ、前記リールチャンバの頂壁の中には外部に連通している連通穴が設けられ、前記リールチャンバの後側端壁の中には伝動チャンバが設けられ、前記伝動チャンバと前記リールチャンバとの間には第二回転軸が回転できるように設けられ、前記伝動チャンバの中の前記第二回転軸の末端にはウォームホイールが固定的に設けられ、前記リールチャンバの中の前記第二回転軸の末端にはリールが固定的に設けられ、左右の二つの前記リールの外表面には前記連通穴を貫通している吸水布が周設され、前記リールチャンバの右側端壁の中には操作チャンバが設けられ、前記操作チャンバの中には髪乾燥装置が設けられ、前記振りブロックが回転し吸水布を連動させて前後に振らせ、これにより髪乾燥装置の全方位の髪乾燥を実現する。
【０００６】
優選の技術プランとして、、前記髪乾燥装置は前記操作チャンバの端壁の中に連通するように設けられた円形チャンバを含み、前記円形チャンバの円周壁にはリングギヤが固定的に設けられ、前記円形チャンバのうち前記本体に近接している側の端壁の中には外部に連通している弧形溝が設けられ、前記円形チャンバと前記ベルトチャンバとの間には第三回転軸が回転できるように設けられ、前記円形チャンバの中の前記第三回転軸の末端には第一歯車が固定的に設けられ、前記ベルトチャンバの中の前記第三回転軸の末端には第二プーリが固定的に設けられ、前記第二プーリと前記第一プーリとがベルトにより伝動できるように連結され、前記本体の左右端壁には固定ロッドが回転できるように設けられ、前記固定ロッドの末端が前記弧形溝を貫通して前記円形チャンバに伸びており、前記円形チャンバの中の前記固定ロッドの末端には前記リングギヤ及び前記第一歯車と噛合する第二歯車が固定的に設けられ、前記操作チャンバの端壁には扇形歯車が回転できるように設けられ、前記扇形歯車の片側には振りロッドが固定的に設けられ、前記振りロッドの中には長穴が設けられ、前記長孔の中には前記第一歯車の端壁と固定的に連結されるスライドロッドがスライドできるように設けられ、左右二つの前記振りロッドの運動周期が半周の差があり、前記操作チャンバと前記伝動チャンバとの間には前記ウォームホイールと噛合するウォームが回転できるように設けられ、前記操作チャンバの中の前記ウォームの末端には前記扇形歯車と噛合する第三歯車が固定的に設けられ、左側のリールが順方向に回転する時、右側の前記リールが逆方向に回転し、これにより前記吸水布を左右に引き動かし、これにより髪を吸水し乾燥させる。
【発明の効果】
【０００７】
本発明は手動の制御が必要なく、自動的に髪を乾燥させ、同時に吸水布の多方位の移動により髪の乾燥速度を上げ、実用性が強い。
【図面の簡単な説明】
【０００８】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【０００９】
【図１】図１は本発明の快速乾燥可能の吸水ヘアキャップの全体構成略図
【図２】図２は図１のＡ−Ａの構成略図
【図３】図３は図２のＢ−Ｂの構成略図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
以下、図１−３を合わせて本発明について詳しく説明し、また、説明の便利を図るため、下記に記載の上下左右前後方向が図１自身の投影関係の上下左右前後方向と一致することにする。
【００１２】
図１−３を参照し、本発明の快速乾燥可能の吸水ヘアキャップは、本体１０と前記本体１０の中に設けられた外部に連通している固定チャンバ３７を含み、前記固定チャンバ３７の中には支え枠１８が上下にスライドできるように設けられ、前記支え枠１８の中には固定溝１９が設けられ、前記支え枠１８と前記固定チャンバ３７の底壁との間には左右に対称的なバネ１７が弾性的に設けられ、前記固定チャンバ３７の底壁の中には動力チャンバ１１が設けられ、前記動力チャンバ１１の左右端壁の中にはベルトチャンバ２０が対称的に設けられ、前記ベルトチャンバ２０と前記動力チャンバ１１との間には第一回転軸１５が回転できるように設けられ、前記ベルトチャンバ２０の中の前記第一回転軸１５の末端には第一プーリ１６が固定的に設けられ、前記動力チャンバ１１の中の前記第一回転軸１５の末端には第一傘歯車１４が固定的に設けられ、前記動力チャンバ１１の底壁の中にはモーター１２が設けられ、前記モーター１２の末端には前記第一傘歯車１４と噛合する第二傘歯車１３が固定的に設けられ、前記本体１０の左右両側には振りブロック３３が対称的に設けられ、前記振りブロック３３の中にはリールチャンバ３４が設けられ、前記リールチャンバ３４の頂壁の中には外部に連通している連通穴３２が設けられ、前記リールチャンバ３４の後側端壁の中には伝動チャンバ４５が設けられ、前記伝動チャンバ４５と前記リールチャンバ３４との間には第二回転軸３５が回転できるように設けられ、前記伝動チャンバ４５の中の前記第二回転軸３５の末端にはウォームホイール４６が固定的に設けられ、前記リールチャンバ３４の中の前記第二回転軸３５の末端にはリール３６が固定的に設けられ、左右の二つの前記リール３６の外表面には前記連通穴３２を貫通している吸水布３１が周設され、前記リールチャンバ３４の右側端壁の中には操作チャンバ３２が設けられ、前記操作チャンバ３２の中には髪乾燥装置２００が設けられ、前記振りブロック３３が回転し吸水布３１を連動させて前後に振らせ、これにより髪乾燥装置２００の全方位の髪乾燥を実現する。
【００１３】
有益的には、前記髪乾燥装置２００は前記操作チャンバ３２の端壁の中に連通するように設けられた円形チャンバ２６を含み、前記円形チャンバ２６の円周壁にはリングギヤ２８が固定的に設けられ、前記円形チャンバ２６のうち前記本体１０に近接している側の端壁の中には外部に連通している弧形溝２９が設けられ、前記円形チャンバ２６と前記ベルトチャンバ２０との間には第三回転軸２４が回転できるように設けられ、前記円形チャンバ２６の中の前記第三回転軸２４の末端には第一歯車２５が固定的に設けられ、前記ベルトチャンバ２０の中の前記第三回転軸２４の末端には第二プーリ２３が固定的に設けられ、前記第二プーリ２３と前記第一プーリ１６とがベルト２１により伝動できるように連結され、前記本体１０の左右端壁には固定ロッド３０が回転できるように設けられ、前記固定ロッド３０の末端が前記弧形溝２９を貫通して前記円形チャンバ２６に伸びており、前記円形チャンバ２６の中の前記固定ロッド３０の末端には前記リングギヤ２８及び前記第一歯車２５と噛合する第二歯車２７が固定的に設けられ、前記操作チャンバ３２の端壁には扇形歯車３８が回転できるように設けられ、前記扇形歯車３８の片側には振りロッド３９が固定的に設けられ、前記振りロッド３９の中には長穴４０が設けられ、前記長孔４０の中には前記第一歯車２５の端壁と固定的に連結されるスライドロッド４１がスライドできるように設けられ、左右二つの前記振りロッド３９の運動周期が半周の差があり、前記操作チャンバ３２と前記伝動チャンバ４５との間には前記ウォームホイール４５と噛合するウォーム４４が回転できるように設けられ、前記操作チャンバ３２の中の前記ウォーム４４の末端には前記扇形歯車３８と噛合する第三歯車３７が固定的に設けられ、左側のリール３６が順方向に回転する時、右側の前記リール３６が逆方向に回転し、これにより前記吸水布３１を左右に引き動かし、これにより髪を吸水し乾燥させる。
【００１４】
以下、図１−３及び上記説明した本出願の快速乾燥可能の吸水ヘアキャップの具体的な構造を参照し、快速乾燥可能の吸水ヘアキャップの使用方法を説明する：
【００１５】
使用する時、顎を前記支え枠１８に置き、同時に前記吸水布３１を頭の上に置き髪と当接させ、その時に前記モーター１２を起動して正逆回転させ、前記モーター１２が前記第二傘歯車１３を回転連動させ、これにより前記第一傘歯車１４と、第一プーリ１６と、第二プーリ２３と、第一歯車２５とを回転連動させ、前記第一歯車２５が回転して前記第二歯車２７を回転連動させ、これにより前記振りブロック３３を回転連動させ、前記振りブロック３３が回転して吸水布３１を前後に振らせ、同時に前記第一歯車２５が回転して前記振りロッド３９を振らせ、これにより前記扇形歯車３８を回転連動させ、これにより前記第三歯車３７を回転連動させ、これにより前記ウォーム４４を回転連動させ、これにより前記ウォームホイール４６を回転連動させ、これにより前記リール３６を回転連動させ、左右二つの前記振りロッド３９の運動周期が半周の差があるため、左側のリール３６が正転する時に、右側の前記リール３６が逆転し、これにより前記吸水布３１を左右に引き、髪を吸水し乾燥させる。
【００１６】
上記の具体的な分析から分かることは：本発明は手動の制御が必要なく、自動的に髪を乾燥させ、同時に吸水布の多方位の移動により髪の乾燥速度を上げ、実用性が強い。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020171649.tif 000003
【図２】
2020171649.tif 000004
【図３】
2020171649.tif 000005
【手続補正書】
【提出日】令和1年7月20日(2019.7.20)
【手続補正１】
【補正対象書類名】特許請求の範囲
【補正対象項目名】全文
【補正方法】変更
【補正の内容】
【特許請求の範囲】
【請求項１】
本体と前記本体の中に設けられた外部に連通している固定チャンバを含み、前記固定チャンバの中には顎を支える支え枠が上下にスライドできるように設けられ、前記支え枠の中には固定溝が設けられ、前記支え枠と前記固定チャンバの底壁との間には左右に対称的なバネが弾性的に設けられ、前記固定チャンバの底壁の中には動力チャンバが設けられ、前記動力チャンバの左右端壁の中にはベルトチャンバが対称的に設けられ、前記ベルトチャンバと前記動力チャンバとの間には第一回転軸が回転できるように設けられ、前記ベルトチャンバの中の前記第一回転軸の末端には第一プーリが固定的に設けられ、前記動力チャンバの中の前記第一回転軸の末端には第一傘歯車が固定的に設けられ、前記動力チャンバの底壁の中にはモーターが設けられ、前記モーターの末端には前記第一傘歯車と噛合する第二傘歯車が固定的に設けられ、前記本体の左右両側には振りブロックが対称的に設けられ、前記振りブロックの中にはリールチャンバが設けられ、前記リールチャンバの頂壁の中には外部に連通している連通穴が設けられ、前記リールチャンバの後側端壁の中には伝動チャンバが設けられ、前記伝動チャンバと前記リールチャンバとの間には第二回転軸が回転できるように設けられ、前記伝動チャンバの中の前記第二回転軸の末端にはウォームホイールが固定的に設けられ、前記リールチャンバの中の前記第二回転軸の末端にはリールが固定的に設けられ、左右の二つの前記リールの外表面には前記連通穴を貫通している吸水布が周設され、前記吸水布が頭の上に置かれて髪と接触しており、前記リールチャンバの右側端壁の中には操作チャンバが設けられ、前記操作チャンバの中には髪乾燥装置が設けられ、前記振りブロックが回転し吸水布を連動させて前後に振らせ、これにより髪乾燥装置の全方位の髪乾燥を実現することができ、
前記髪乾燥装置は前記操作チャンバの端壁の中に連通するように設けられた円形チャンバを含み、前記円形チャンバの円周壁にはリングギヤが固定的に設けられ、前記円形チャンバのうち前記本体に近接している側の端壁の中には外部に連通している弧形溝が設けられ、前記円形チャンバと前記ベルトチャンバとの間には第三回転軸が回転できるように設けられ、前記円形チャンバの中の前記第三回転軸の末端には第一歯車が固定的に設けられ、前記ベルトチャンバの中の前記第三回転軸の末端には第二プーリが固定的に設けられ、前記第二プーリと前記第一プーリとがベルトにより伝動できるように連結され、前記本体の左右端壁には固定ロッドが回転できるように設けられ、前記固定ロッドの末端が前記弧形溝を貫通して前記円形チャンバに伸びており、前記円形チャンバの中の前記固定ロッドの末端には前記リングギヤ及び前記第一歯車と噛合する第二歯車が固定的に設けられ、前記操作チャンバの端壁には扇形歯車が回転できるように設けられ、前記扇形歯車の片側には振りロッドが固定的に設けられ、前記振りロッドの中には長穴が設けられ、前記長孔の中には前記第一歯車の端壁と固定的に連結されるスライドロッドがスライドできるように設けられ、左右二つの前記振りロッドの運動周期が半周の差があり、前記操作チャンバと前記伝動チャンバとの間には前記ウォームホイールと噛合するウォームが回転できるように設けられ、前記操作チャンバの中の前記ウォームの末端には前記扇形歯車と噛合する第三歯車が固定的に設けられ、左側のリールが順方向に回転する時、右側の前記リールが逆方向に回転し、これにより前記吸水布を左右に引き動かし、これにより髪を吸水し乾燥させることを特徴とする高速乾燥可能の吸水ヘアキャップ。
【手続補正２】
【補正対象書類名】明細書
【補正対象項目名】全文
【補正方法】変更
【補正の内容】
【発明の詳細な説明】
【技術分野】
【０００１】
本発明は髪洗いケア分野を取り上げて、具体的には高速乾燥可能の吸水ヘアキャップである。
【背景技術】
【０００２】
人々は髪を洗った後、常に吸水ヘアキャップを使って髪を乾燥させ、伝統的なヘアキャップは手で揉む必要があり、髪を傷つける一方で、乾燥が不均一であり、従って、高速乾燥可能のヘアキャップを設計して上記の問題を解決する。
【先行技術文献】
【特許文献】
【０００３】
【特許文献１】中国特許出願公開第１０３５０４７７０号明細書
【発明の概要】
【発明が解決しようとする課題】
【０００４】
本発明の目的は高速乾燥可能の吸水ヘアキャップを提供し、それは上記の現在の技術中の問題を解決できる。
【課題を解決するための手段】
【０００５】
本発明の高速乾燥可能の吸水ヘアキャップは、本体と前記本体の中に設けられた外部に連通している固定チャンバを含み、前記固定チャンバの中には顎を支える支え枠が上下にスライドできるように設けられ、前記支え枠の中には固定溝が設けられ、前記支え枠と前記固定チャンバの底壁との間には左右に対称的なバネが弾性的に設けられ、前記固定チャンバの底壁の中には動力チャンバが設けられ、前記動力チャンバの左右端壁の中にはベルトチャンバが対称的に設けられ、前記ベルトチャンバと前記動力チャンバとの間には第一回転軸が回転できるように設けられ、前記ベルトチャンバの中の前記第一回転軸の末端には第一プーリが固定的に設けられ、前記動力チャンバの中の前記第一回転軸の末端には第一傘歯車が固定的に設けられ、前記動力チャンバの底壁の中にはモーターが設けられ、前記モーターの末端には前記第一傘歯車と噛合する第二傘歯車が固定的に設けられ、前記本体の左右両側には振りブロックが対称的に設けられ、前記振りブロックの中にはリールチャンバが設けられ、前記リールチャンバの頂壁の中には外部に連通している連通穴が設けられ、前記リールチャンバの後側端壁の中には伝動チャンバが設けられ、前記伝動チャンバと前記リールチャンバとの間には第二回転軸が回転できるように設けられ、前記伝動チャンバの中の前記第二回転軸の末端にはウォームホイールが固定的に設けられ、前記リールチャンバの中の前記第二回転軸の末端にはリールが固定的に設けられ、左右の二つの前記リールの外表面には前記連通穴を貫通している吸水布が周設され、前記吸水布が頭の上に置かれて髪と接触しており、前記リールチャンバの右側端壁の中には操作チャンバが設けられ、前記操作チャンバの中には髪乾燥装置が設けられ、前記振りブロックが回転し吸水布を連動させて前後に振らせ、これにより髪乾燥装置の全方位の髪乾燥を実現する。
【０００６】
優選の技術プランとして、、前記髪乾燥装置は前記操作チャンバの端壁の中に連通するように設けられた円形チャンバを含み、前記円形チャンバの円周壁にはリングギヤが固定的に設けられ、前記円形チャンバのうち前記本体に近接している側の端壁の中には外部に連通している弧形溝が設けられ、前記円形チャンバと前記ベルトチャンバとの間には第三回転軸が回転できるように設けられ、前記円形チャンバの中の前記第三回転軸の末端には第一歯車が固定的に設けられ、前記ベルトチャンバの中の前記第三回転軸の末端には第二プーリが固定的に設けられ、前記第二プーリと前記第一プーリとがベルトにより伝動できるように連結され、前記本体の左右端壁には固定ロッドが回転できるように設けられ、前記固定ロッドの末端が前記弧形溝を貫通して前記円形チャンバに伸びており、前記円形チャンバの中の前記固定ロッドの末端には前記リングギヤ及び前記第一歯車と噛合する第二歯車が固定的に設けられ、前記操作チャンバの端壁には扇形歯車が回転できるように設けられ、前記扇形歯車の片側には振りロッドが固定的に設けられ、前記振りロッドの中には長穴が設けられ、前記長孔の中には前記第一歯車の端壁と固定的に連結されるスライドロッドがスライドできるように設けられ、左右二つの前記振りロッドの運動周期が半周の差があり、前記操作チャンバと前記伝動チャンバとの間には前記ウォームホイールと噛合するウォームが回転できるように設けられ、前記操作チャンバの中の前記ウォームの末端には前記扇形歯車と噛合する第三歯車が固定的に設けられ、左側のリールが順方向に回転する時、右側の前記リールが逆方向に回転し、これにより前記吸水布を左右に引き動かし、これにより髪を吸水し乾燥させる。
【発明の効果】
【０００７】
本発明は手動の制御が必要なく、自動的に髪を乾燥させ、同時に吸水布の多方位の移動により髪の乾燥速度を上げ、実用性が強い。
【図面の簡単な説明】
【０００８】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【０００９】
【図１】図１は本発明の高速乾燥可能の吸水ヘアキャップの全体構成略図
【図２】図２は図１のＡ−Ａの構成略図
【図３】図３は図２のＢ−Ｂの構成略図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
以下、図１−３を合わせて本発明について詳しく説明し、また、説明の便利を図るため、下記に記載の上下左右前後方向が図１自身の投影関係の上下左右前後方向と一致することにする。
【００１２】
図１−３を参照し、本発明の高速乾燥可能の吸水ヘアキャップは、本体１０と前記本体１０の中に設けられた外部に連通している固定チャンバ３７を含み、前記固定チャンバ３７の中には顎を支える支え枠１８が上下にスライドできるように設けられ、前記支え枠１８の中には固定溝１９が設けられ、前記支え枠１８と前記固定チャンバ３７の底壁との間には左右に対称的なバネ１７が弾性的に設けられ、前記固定チャンバ３７の底壁の中には動力チャンバ１１が設けられ、前記動力チャンバ１１の左右端壁の中にはベルトチャンバ２０が対称的に設けられ、前記ベルトチャンバ２０と前記動力チャンバ１１との間には第一回転軸１５が回転できるように設けられ、前記ベルトチャンバ２０の中の前記第一回転軸１５の末端には第一プーリ１６が固定的に設けられ、前記動力チャンバ１１の中の前記第一回転軸１５の末端には第一傘歯車１４が固定的に設けられ、前記動力チャンバ１１の底壁の中にはモーター１２が設けられ、前記モーター１２の末端には前記第一傘歯車１４と噛合する第二傘歯車１３が固定的に設けられ、前記本体１０の左右両側には振りブロック３３が対称的に設けられ、前記振りブロック３３の中にはリールチャンバ３４が設けられ、前記リールチャンバ３４の頂壁の中には外部に連通している連通穴３２が設けられ、前記リールチャンバ３４の後側端壁の中には伝動チャンバ４５が設けられ、前記伝動チャンバ４５と前記リールチャンバ３４との間には第二回転軸３５が回転できるように設けられ、前記伝動チャンバ４５の中の前記第二回転軸３５の末端にはウォームホイール４６が固定的に設けられ、前記リールチャンバ３４の中の前記第二回転軸３５の末端にはリール３６が固定的に設けられ、左右の二つの前記リール３６の外表面には前記連通穴３２を貫通している吸水布３１が周設され、前記吸水布３１が頭の上に置かれて髪と接触しており、前記リールチャンバ３４の右側端壁の中には操作チャンバ３２が設けられ、前記操作チャンバ３２の中には髪乾燥装置２００が設けられ、前記振りブロック３３が回転し吸水布３１を連動させて前後に振らせ、これにより髪乾燥装置２００の全方位の髪乾燥を実現する。
【００１３】
有益的には、前記髪乾燥装置２００は前記操作チャンバ３２の端壁の中に連通するように設けられた円形チャンバ２６を含み、前記円形チャンバ２６の円周壁にはリングギヤ２８が固定的に設けられ、前記円形チャンバ２６のうち前記本体１０に近接している側の端壁の中には外部に連通している弧形溝２９が設けられ、前記円形チャンバ２６と前記ベルトチャンバ２０との間には第三回転軸２４が回転できるように設けられ、前記円形チャンバ２６の中の前記第三回転軸２４の末端には第一歯車２５が固定的に設けられ、前記ベルトチャンバ２０の中の前記第三回転軸２４の末端には第二プーリ２３が固定的に設けられ、前記第二プーリ２３と前記第一プーリ１６とがベルト２１により伝動できるように連結され、前記本体１０の左右端壁には固定ロッド３０が回転できるように設けられ、前記固定ロッド３０の末端が前記弧形溝２９を貫通して前記円形チャンバ２６に伸びており、前記円形チャンバ２６の中の前記固定ロッド３０の末端には前記リングギヤ２８及び前記第一歯車２５と噛合する第二歯車２７が固定的に設けられ、前記操作チャンバ３２の端壁には扇形歯車３８が回転できるように設けられ、前記扇形歯車３８の片側には振りロッド３９が固定的に設けられ、前記振りロッド３９の中には長穴４０が設けられ、前記長孔４０の中には前記第一歯車２５の端壁と固定的に連結されるスライドロッド４１がスライドできるように設けられ、左右二つの前記振りロッド３９の運動周期が半周の差があり、前記操作チャンバ３２と前記伝動チャンバ４５との間には前記ウォームホイール４５と噛合するウォーム４４が回転できるように設けられ、前記操作チャンバ３２の中の前記ウォーム４４の末端には前記扇形歯車３８と噛合する第三歯車３７が固定的に設けられ、左側のリール３６が順方向に回転する時、右側の前記リール３６が逆方向に回転し、これにより前記吸水布３１を左右に引き動かし、これにより髪を吸水し乾燥させる。
【００１４】
以下、図１−３及び上記説明した本出願の高速乾燥可能の吸水ヘアキャップの具体的な構造を参照し、高速乾燥可能の吸水ヘアキャップの使用方法を説明する：
【００１５】
使用する時、顎を前記支え枠１８に置き、同時に前記吸水布３１を頭の上に置き髪と当接させ、その時に前記モーター１２を起動して正逆回転させ、前記モーター１２が前記第二傘歯車１３を回転連動させ、これにより前記第一傘歯車１４と、第一プーリ１６と、第二プーリ２３と、第一歯車２５とを回転連動させ、前記第一歯車２５が回転して前記第二歯車２７を回転連動させ、これにより前記振りブロック３３を回転連動させ、前記振りブロック３３が回転して吸水布３１を前後に振らせ、同時に前記第一歯車２５が回転して前記振りロッド３９を振らせ、これにより前記扇形歯車３８を回転連動させ、これにより前記第三歯車３７を回転連動させ、これにより前記ウォーム４４を回転連動させ、これにより前記ウォームホイール４６を回転連動させ、これにより前記リール３６を回転連動させ、左右二つの前記振りロッド３９の運動周期が半周の差があるため、左側のリール３６が正転する時に、右側の前記リール３６が逆転し、これにより前記吸水布３１を左右に引き、髪を吸水し乾燥させる。
【００１６】
上記の具体的な分析から分かることは：本発明は手動の制御が必要なく、自動的に髪を乾燥させ、同時に吸水布の多方位の移動により髪の乾燥速度を上げ、実用性が強い。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。